(57)【要約】【課題】  従来、多階調化手法として奇数フィールドおよび偶数フィールドでの選択点灯を異ならせて２フィールドで階調表現を行う画像表示装置は、モーションノイズやフリッカの発生といった画質の低下が問題となっていた。【解決手段】  １フレームの映像を発光表示の輝度が異なる複数のサブフィールドにより構成し、奇数フィールドおよび偶数フィールドで入力される表示データに応じて異なる選択点灯が可能で、且つ、入力される表示データに応じて任意のデータ量を加算するディザパターンの挿入が可能な画像表示方法であって、前記奇数および偶数フィールドでの選択点灯の振り分けと前記ディザパターンの振り分けについて、水平方向および垂直方向の少なくとも一方を異ならせるように構成する。【選択図】      図９
2006267929.tif 000002
【特許請求の範囲】
【請求項１】
１フレームの映像を発光表示の輝度が異なる複数のサブフィールドにより構成し、奇数フィールドおよび偶数フィールドで入力される表示データに応じて異なる選択点灯が可能で、且つ、入力される表示データに応じて任意のデータ量を加算するディザパターンの挿入が可能な画像表示方法であって、
前記奇数および偶数フィールドでの選択点灯の振り分けと前記ディザパターンの振り分けについて、水平方向および垂直方向の少なくとも一方を異ならせることを特徴とする画像表示方法。
【請求項２】
請求項１に記載の画像表示方法において、前記奇数および偶数フィールドでの選択点灯の振り分けを、水平方向は１ピクセル単位で垂直方向は２ライン単位に行い、且つ、前記ディザパターンの振り分けを、水平方向は１ピクセル単位で垂直方向は１ライン単位に行うことを特徴とする画像表示方法。
【請求項３】
請求項１に記載の画像表示方法において、前記奇数および偶数フィールドでの選択点灯の振り分けを、水平方向は１ピクセル単位で垂直方向は２ライン単位に行い、且つ、前記ディザパターンの振り分けを、水平方向は１ピクセル単位で垂直方向は１ライン単位に行うと共に前記奇数および偶数フィールドでの選択点灯の垂直方向と１ラインずれていることを特徴とする画像表示方法。
【請求項４】
請求項１に記載の画像表示方法において、前記奇数および偶数フィールドでの選択点灯の振り分けと前記ディザパターンの振り分けについて、水平方向および垂直方向の両方を異ならせることを特徴とする画像表示方法。
【請求項５】
請求項４に記載の画像表示方法において、前記奇数および偶数フィールドでの選択点灯の振り分けを、水平方向は１サブピクセル単位で垂直方向は２ライン単位に行い、且つ、前記ディザパターンの振り分けを、水平方向は１ピクセル単位で垂直方向は１ライン単位に行うことを特徴とする画像表示方法。
【請求項６】
請求項５に記載の画像表示方法において、前記奇数および偶数フィールドでの選択点灯の振り分けを、水平方向は１ピクセル単位で垂直方向は２ライン単位に行い、且つ、前記ディザパターンの振り分けを、水平方向は１サブピクセル単位で垂直方向は１ライン単位に行うことを特徴とする画像表示方法。
【請求項７】
請求項５に記載の画像表示方法において、前記奇数および偶数フィールドでの選択点灯の振り分けを、水平方向は１サブピクセル単位で垂直方向は１ライン単位に行い、且つ、前記ディザパターンの振り分けを、水平方向は１ピクセル単位で垂直方向は２ライン単位に行うことを特徴とする画像表示方法。
【請求項８】
請求項５に記載の画像表示方法において、前記奇数および偶数フィールドでの選択点灯の振り分けを、水平方向は１ピクセル単位で垂直方向は１ライン単位に行い、且つ、前記ディザパターンの振り分けを、水平方向は１サブピクセル単位で垂直方向は２ライン単位に行うことを特徴とする画像表示方法。
【請求項９】
請求項４に記載の画像表示方法において、前記奇数および偶数フィールドでの選択点灯の振り分けを、水平方向は１サブピクセル単位で垂直方向は２ライン単位に行い、且つ、前記ディザパターンの振り分けを、水平方向は１ピクセル単位で垂直方向は２ライン単位に行うことを特徴とする画像表示方法。
【請求項１０】
請求項９に記載の画像表示方法において、前記奇数および偶数フィールドでの選択点灯の振り分けを、水平方向は１ピクセル単位で垂直方向は２ライン単位に行い、且つ、前記ディザパターンの振り分けを、水平方向は１サブピクセル単位で垂直方向は２ライン単位に行うと共に前記奇数および偶数フィールドでの選択点灯の垂直方向と１ラインずれていることを特徴とする画像表示方法。
【請求項１１】
請求項４に記載の画像表示方法において、前記奇数および偶数フィールドでの選択点灯の振り分けを、水平方向は２サブピクセル単位で垂直方向は２ライン単位に行い、且つ、前記ディザパターンの振り分けを、水平方向は２サブピクセル単位で前記奇数および偶数フィールドでの選択点灯の水平方向と１サブピクセルずれていて、垂直方向は１ライン単位に行うことを特徴とする画像表示方法。
【請求項１２】
請求項１１に記載の画像表示方法において、前記奇数および偶数フィールドでの選択点灯の振り分けを、水平方向は２サブピクセル単位で垂直方向は２ライン単位に行い、且つ、前記ディザパターンの振り分けを、水平方向は２サブピクセル単位で前記奇数および偶数フィールドでの選択点灯の水平方向と１サブピクセルずれていて、垂直方向は２ライン単位に行うことを特徴とする画像表示方法。
【請求項１３】
請求項４に記載の画像表示方法において、前記奇数および偶数フィールドでの選択点灯の振り分けを、水平方向は２サブピクセル単位で垂直方向は２ライン単位に行い、且つ、前記ディザパターンの振り分けを、水平方向は２サブピクセル単位で前記奇数および偶数フィールドでの選択点灯の水平方向と１サブピクセルずれていて、垂直方向も同様に２ライン単位で垂直方向と１ラインずれていることを特徴とする画像表示方法。
【請求項１４】
請求項４に記載の画像表示方法において、前記奇数および偶数フィールドでの選択点灯の振り分けを、水平方向は２ピクセル単位で垂直方向は２ライン単位に行い、且つ、前記ディザパターンの振り分けを、水平方向は２ピクセル単位で前記奇数および偶数フィールドでの選択点灯の水平方向と１サブピクセルずれていて、垂直方向は１ライン単位に行うことを特徴とする画像表示方法。
【請求項１５】
請求項１４に記載の画像表示方法において、前記奇数および偶数フィールドでの選択点灯の振り分けを、水平方向は２ピクセル単位で垂直方向は１ライン単位に行い、且つ、前記ディザパターンの振り分けを、水平方向は２ピクセル単位で前記奇数および偶数フィールドでの選択点灯の水平方向と１ピクセルずれていて、垂直方向は２ライン単位に行うことを特徴とする画像表示方法。
【請求項１６】
請求項４に記載の画像表示方法において、前記奇数および偶数フィールドでの選択点灯の振り分けを、水平方向は２ピクセル単位で垂直方向は２ライン単位に行い、且つ、前記ディザパターンの振り分けを、水平方向は２ピクセル単位で前記奇数および偶数フィールドでの選択点灯の水平方向と１ピクセルずれていて、垂直方向も同様に２ライン単位で垂直方向と１ラインずれていることを特徴とする画像表示方法。
【請求項１７】
ディスプレイパネルと、該ディスプレイパネルの各サブピクセルを駆動するためのドライバと、該ドライバを制御する制御回路とを備える画像表示装置であって、請求項１〜１６のいずれか１項に記載の画像表示方法を適用したことを特徴とする画像表示装置。
【請求項１８】
請求項１７に記載の画像表示装置において、前記制御回路は、
ディザの振り分けタイミング信号と、奇数および偶数フィールドの振り分けのタイミング信号とを両者で同期を取りながら発生振り分けタイミング発生回路と、
前記ディザの振り分けタイミング信号を受け取って所定のディザパターンを発生するディザパターン発生回路と、
入力映像信号と前記ディザパターン発生回路からのディザパターンとを加算する加算回路と、
前記加算回路の出力信号、並びに、前記奇数および偶数フィールドの振り分けのタイミング信号を受け取って、奇数および偶数フィールドでの選択点灯の振り分けとディザパターンの振り分けについて、水平方向および垂直方向の少なくとも一方を異ならせた映像出力信号を出力する点灯サブフィールド振り分け回路３０４とを備えることを特徴とする画像表示装置。
【発明の詳細な説明】
【技術分野】
【０００１】
本発明は、画像表示方法および画像表示装置に関し、特に、多階調化手法として奇数フィールドおよび偶数フィールドでの選択点灯を異ならせて２フィールドで階調表現を行う画像表示方法および画像表示装置に関する。
【０００２】
従来、平面型の画像表示装置として面放電を行う交流型プラズマディスプレイ装置が実用化され、パーソナルコンピュータやワークステーション等の表示装置、平面型の壁掛けテレビジョン、或いは、広告や情報等を表示するための装置として広く使用されている。そして、例えば、近年の三電極面放電型のプラズマディスプレイ装置においては、１つのフレームを奇数フィールドおよび偶数フィールドで構成し、奇数フィールドおよび偶数フィールドでの選択点灯を異ならせて階調表現を行うものも提案されている。
【０００３】
しかしながら、例えば、多階調化手法として奇数フィールドおよび偶数フィールドでの選択点灯を異ならせて２フィールドで階調表現を行うプラズマディスプレイ装置は画質の低下が問題となっており、モーションノイズやフリッカの発生といった画質の低下を抑えたプラズマディスプレイ装置の提供が要望されている。なお、本発明は、プラズマディスプレイ装置に限定されるものではなく、多階調化手法として奇数フィールドおよび偶数フィールドでの選択点灯を異ならせて２フィールドで階調表現を行う画像表示装置に対して幅広く適用することが可能である。
【背景技術】
【０００４】
従来、平面型の画像表示装置として面放電を行うプラズマディスプレイ装置が実用化され、画面上の全画素を表示データに応じて同時に発光させるようになっている。面放電を行うプラズマディスプレイ装置は、前面ガラス基板の内面に１対の電極が形成され、内部に希ガスが封入された構造となっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００５】
図１は画像表示装置の一例としてのプラズマディスプレイ装置におけるプラズマディスプレイパネルを模式的に示す図であり、三電極面放電ＡＣ型プラズマディスプレイパネルを示すものである。
【０００６】
図１において、参照符号１０はプラズマディスプレイパネル（ＰＤＰ：Plasma Display Panel）、１１は前面側の基板（前面基板）、１２はＸ電極用の透明電極、１３はＸ電極用のバス電極、１４はＹ電極用の透明電極、１５はＹ電極用のバス電極、１６は背面側の基板（背面基板）、１７はアドレス電極、１８は隔壁（リブ）、そして、１９Ｒ，１９Ｇ，１９Ｂは蛍光体層を示している。なお、実際のＰＤＰ１０は、Ｘ電極およびＹ電極上に誘電体層並びに保護膜が設けられ、また、アドレス電極上に誘電体層が設けられている。さらに、Ｘ電極（１２，１３）およびＹ電極（１４，１５）が設けられた前面側の基板１１とアドレス電極１７が設けられた背面側の基板１６との間には、ネオンとキセノンの混合ガスなどの放電ガスが充填され、Ｘ電極およびＹ電極とアドレス電極との交差部の放電空間が１つの放電セルを構成することになる。
【０００７】
なお、本明細書では、Ｒ，Ｇ，Ｂの各色の放電セルのそれぞれをサブピクセルと称し、これらＲ，Ｇ，Ｂの３つの放電セルで構成されるドットをピクセルと称する。
【０００８】
図２は画像表示装置の一例としてのプラズマディスプレイ装置を概略的に示すブロック図であり、図１に示すＰＤＰ１０を使用したプラズマディスプレイ装置１００の一例を概略的に示すものである。
【０００９】
図２に示されるように、プラズマディスプレイ装置１００は、ＰＤＰ１０と、該ＰＤＰ１０の各放電セルを駆動するためのＸ側ドライバ３２，Ｙ側ドライバ３３およびアドレス側ドライバ３４と、これら各ドライバを制御する制御回路３１とを備えている。制御回路３１には、ＴＶチューナやコンピュータ等の外部装置からＲ，Ｇ，Ｂの３色の輝度レベルを示す多値画像データであるフィールドデータ（映像信号）Ｄｆ、および、各種の同期信号（クロック信号ＣＬＫ，水平同期信号Ｈsync，垂直同期信号Ｖsync）が入力される。そして、制御回路３１は、上記フィールドデータＤｆおよび各種の同期信号からそれぞれのドライバ３２〜３４に適した制御信号を出力して所定の画像表示を行うようになっている。
【００１０】
Ｙ側ドライバ３３はＹ電極を制御するもので、スキャンドライバ（スキャンドライバＬＳＩ）３３１および共通ドライバ３３２を備え、また、Ｘ側ドライバ３２はＸ電極を制御するもので、共通ドライバ３２０を備えている。
【００１１】
ところで、従来、γ逆補正された表示データに基づきＰＤＰの階調表示を行う場合、最大輝度の低下を抑制しかつ動画偽輪郭を低減するために、１フィールド期間を、発光時間がそれぞれ０．５，１．５，４，８，１６，３２，６４，１２８として重み付けされた８個のサブフィールドに分割し、８ビットデータがγ逆補正部で変換された１０ビットデータのレベル値が発光パターンＡの発光期間の和と発光パターンＢの発光期間の和の平均値となるように奇数フィールドと偶数フィールドとで発光パターンを切り替えるようにした表示装置および階調表示処理方法が提案されている（例えば、特許文献１参照）。
【００１２】
また、従来、サブフィールドを増加させることなく表示階調を増加させ、動画疑似輪郭の低減を可能にすると共にＳ／Ｎ比の良好な表示を確保するために、８ビットデータがγ逆補正部で変換された１０ビットデータを、上位の８ビットと下位の２ビットの各データに分割し、ＰＤＰのラインにまたがる４つの画素Ａ，Ｂ，Ｃ，Ｄのうち画素Ｃ，Ｄ用の下位２ビットの平均値を計算し、その計算結果と偶数及び奇数の各フィールドとに基づいて画素Ａ，Ｂ，Ｃ，Ｄ用の各８ビットデータに表示最小レベル値を加算するか否かを判断するプラズマディスプレイパネルの階調表示処理装置および処理方法が提案されている（例えば、特許文献２参照）。
【００１３】
【特許文献１】特開２００２−３６６０８５号公報
【特許文献２】特開２００２−２６８６０４号公報
【発明の開示】
【発明が解決しようとする課題】
【００１４】
図３は従来の多階調化方法の一例を説明するための図であり、１フレームを奇数フィールドおよび偶数フィールドの２つのフィールドで構成し、奇数フィールドおよび偶数フィールドでの選択点灯を異ならせて階調表現を行う手法の点灯例を示すものである。
【００１５】
図３（ａ）に示されるように、各奇数フィールドおよび偶数フィールドにおけるサブフィールドＳＦ１〜ＳＦ３の輝度比（重み）が、ＳＦ１：ＳＦ２：ＳＦ３＝１：３：９となっている。そして、図３（ｂ）に示されるように、例えば、階調１を表現するには、奇数フィールド（Ａ）において輝度比１のサブフィールドＳＦ１だけを点灯すると共に偶数フィールド（Ｂ）においては全てのサブフィールドＳＦ１〜ＳＦ３を非点灯とし、階調２を表現するには、奇数フィールドおよび偶数フィールドの両方において輝度比１のサブフィールドＳＦ１だけを点灯し、階調３を表現するには、奇数フィールドにおいて輝度比３のサブフィールドＳＦ２だけを点灯すると共に偶数フィールドにおいては全てのサブフィールドＳＦ１〜ＳＦ３を非点灯とする。このように、奇数フィールドおよび偶数フィールドにおいて、それぞれサブフィールドＳＦ１〜ＳＦ３を選択的に点灯することにより、階調０〜階調２６を表現する。
【００１６】
図４は図３に示す多階調化方法において、奇数フィールド（Ａモード）および偶数フィールド（Ｂモード）での点灯を１ピクセル単位の千鳥状に振り分けた例を示す図である。
【００１７】
図４から明らかなように、奇数フィールドと偶数フィールドとでは、千鳥状に振り分けられたピクセルが交互に駆動されるようになっている。
【００１８】
図５は図３に示す多階調化方法において、階調１を点灯させた時の奇数フィールドおよび偶数フィールドで合成された映像の見え方を示す図である。
【００１９】
上述したように、奇数フィールドと偶数フィールドとで選択点灯を異ならせて２フィールドで階調表現を行う場合、例えば、図３に示されるように、階調１を表現するには奇数フィールドではＳＦ１が点灯し、偶数フィールドではＳＦ１が非点灯となるが、このとき、図４に示されるように、奇数フィールド（Ａ）および偶数フィールド（Ｂ）を、水平方向へ１ピクセル単位で垂直方向へ１ライン単位の千鳥状に振り分けた場合を考える。そして、階調１のベタ映像（表示画像）を１ピクセル／１フィールドで水平方向（右方向）へスクロールさせると、奇数フィールドおよび偶数フィールドで合成された映像は図５のように見える。
【００２０】
すなわち、図５の右側に示されるように、階調１のベタ映像を１ピクセル／１フィールドで右方向へスクロールさせると、静止画時に比べて輝度レベルが２倍の明るさのドット千鳥状の映像になる（図５の右下図参照）。従って、一般的な場合には、図５の左側に示されるように、奇数フィールド（Ａ）および偶数フィールド（Ｂ）を水平方向へ１ピクセル単位で垂直方向へ１ライン単位の千鳥状に振り分け、且つ、映像を１ピクセル／１フィールドで右方向へスクロールさせると、奇数フィールドおよび偶数フィールドで合成された映像は、矢印方向の明るさが合成されて、隣接するドット（ピクセル）間でＡ＋Ａ，Ｂ＋Ｂ，Ａ＋Ａ，…となるように見える（図５の左下図参照）。
【００２１】
また、ユーザが画像表示装置のディスプレイパネルに映し出された映像を見るとき、ユーザが視線を振るだけでも、映像をスクロールさせた時と同じ見え方をする。従って、例えば、１階調の白ベタ映像であれば、映像をスクロールさせたり視線を振ったりしても千鳥状の映像になるだけで画質の劣化はそれほど目立たないが、誤差拡散や映像ノイズによって僅かに出力される映像が変化した場合等には、画質の劣化が大きく目立つことがある。
【００２２】
図６は図３に示す多階調化方法において、２つの点灯例の映像が入力された時の奇数フィールドおよび偶数フィールドで合成された映像の見え方を示す図であり、図６（ａ）および図６（ｂ）は、階調１の白ベタ映像を表示する場合に、それぞれ奇数フィールドおよび偶数フィールドで１つのピクセル（ドット）が階調０となった場合を示している。
【００２３】
図６（ａ）に示す点灯例１では、ドットＰ０で「階調２」が抜けた映像として見えるのに対して、図６（ｂ）に示す点灯例２では、全てが「階調２」の千鳥状の映像に見える。すなわち、例えば、奇数フィールドおよび偶数フィールドとして、４×４の１６ドット（ピクセル）において１ドットだけ「０」となるような表示データが与えられた場合、映像のスクロールと所定の関係を有する場合（例えば、一致する場合）には、画質が低下することになる。
【００２４】
実際に映像表示を行っている場合には、このような状態が全画面同時に起きることになり、点灯例１および点灯例２がランダムに起きると、例えば、「階調０」の部分がランダムに発生してモヤモヤした映像になるノイズ、いわゆるモーションノイズ（映像が動いた場合に生じるノイズ）が発生する。さらに、表示において、色ごとに階調のバランスを異ならせると激しいモーションノイズが発生してより一層画質の低下を来たすことになる。
【００２５】
図７は従来の多階調化方法において使用される千鳥状のディザパターンの一例を示す図である。
【００２６】
上述したモーションノイズを抑制する手段として、従来、図７に示される千鳥状のディザパターンを表示データに加算して、発光個所の桁上がり部分を固定させるという方法が知られている。このディザパターンを加算することにより、図６（ａ）に示す点灯例１のパターンの「０」の部分は「＋Ｃ］となるため、ほぼ全てが図６（ｂ）に示す点灯例２の状態になってモーションノイズが抑えられることになる。
【００２７】
図８は図７に示すディザパターンによる問題点を説明するための図であり、Ａ＝０，Ｂ＝０，Ｃ＝１の場合を示すものである。
【００２８】
ところで、図７に示される千鳥状のディザパターンを使用すると、新たな問題が発生する。すなわち、誤差拡散により階調１の半分程度の映像のベタパターンを入力した場合、図７のようなディザパターンを表示データに加算すると、図８の左側に示される「階調１」の千鳥パターン（Ｃ＝１）を入れたのと同じパターンになる。このとき、図８の右側に示されるように、奇数フィールド（Ａモード）では千鳥状に点灯し、また、偶数フィールド（Ｂモード）では非点灯になり、例えば、３０Ｈｚのフリッカ（１秒間に６０フィールドで映像表示を行う場合）が発生して画質が低下することになる。
【００２９】
すなわち、例えば、プラズマディスプレイパネルの画像表示方法において、多階調化手法として奇数フィールドおよび偶数フィールドでの選択点灯を異ならせて２フィールドで階調表現を行う場合、誤差拡散や映像ノイズによりわずかに出力される映像が変化した場合の違いでモーションノイズ等が発生して画質が低下することになっていた。さらに、このモーションノイズ等を抑え込むためにディザパターンを挿入すると、新たにフリッカの問題が発生し、やはり画質の低下を来たすことになっていた。
【００３０】
本発明は、上述した従来の画像表示方法が有する課題に鑑み、多階調化手法として奇数フィールドおよび偶数フィールドでの選択点灯を異ならせて２フィールドで階調表現を行う画像表示技術において、モーションノイズやフリッカといった画質の低下を抑えることのできる画像表示装置および画像表示方法の提供を目的とする。
【課題を解決するための手段】
【００３１】
本発明の第１の形態によれば、１フレームの映像を発光表示の輝度が異なる複数のサブフィールドにより構成し、奇数フィールドおよび偶数フィールドで入力される表示データに応じて異なる選択点灯が可能で、且つ、入力される表示データに応じて任意のデータ量を加算するディザパターンの挿入が可能な画像表示方法であって、前記奇数および偶数フィールドでの選択点灯の振り分けと前記ディザパターンの振り分けについて、水平方向および垂直方向の少なくとも一方を異ならせることを特徴とする画像表示方法が提供される。
【００３２】
本発明の第２の形態によれば、ディスプレイパネルと、該ディスプレイパネルの各サブピクセルを駆動するためのドライバと、該ドライバを制御する制御回路とを備える画像表示装置であって、１フレームの映像を発光表示の輝度が異なる複数のサブフィールドにより構成し、奇数フィールドおよび偶数フィールドで入力される表示データに応じて異なる選択点灯が可能で、且つ、入力される表示データに応じて任意のデータ量を加算するディザパターンの挿入が可能であり、前記奇数および偶数フィールドでの選択点灯の振り分けと前記ディザパターンの振り分けについて、水平方向および垂直方向の少なくとも一方を異ならせるようにした画像表示方法を適用したことを特徴とする画像表示装置が提供される。
【発明の効果】
【００３３】
本発明によれば、多階調化手法として奇数フィールドおよび偶数フィールドでの選択点灯を異ならせて２フィールドで階調表現を行う画像表示技術において、モーションノイズやフリッカといった画質の低下を抑えることのできる画像表示装置および画像表示方法を提供することができる。
【発明を実施するための最良の形態】
【００３４】
本発明では、前述した従来技術におけるディザパターンを挿入することによるフリッカの副作用を抑えるために、奇数および偶数フィールドでの選択点灯の振り分け方法とディザパターンの振り分け方法に対して、水平方向および垂直方向の少なくとも一方が同一でないように振り分けるものである。すなわち、水平方向および垂直方向の少なくとも一方のパターンが同じでなければ、ディザパターンの模様が奇数および偶数フィールドで点灯および非点灯といった状態を回避することができ、モーションノイズおよびフリッカ等の画質低下を来たすことの無い映像表示を実現することができる。
【００３５】
以下、本発明に係る画像表示方法および画像表示装置の実施例を、添付図面を参照して詳述する。
【実施例】
【００３６】
図９は本発明に係る画像表示方法の一例としての、垂直方向の奇数および偶数フィールドの振り分けを２ライン単位とし、且つ、ディザパターンを１ライン単位とした場合を示す図であり、奇数および偶数フィールドの振り分け方法とディザの振り分け方法のうち垂直方向のみを同一でないようにした例を示している。
【００３７】
本実施例では、水平方向は１ピクセル単位で固定としているが、垂直方向は奇数および偶数フィールドの振り分けは２ライン単位、且つ、ディザの振り分けは１ライン単位と異なるように設定している。
【００３８】
さらに、図９では、静止画時の奇数および偶数フィールドの振り分けに対してディザを加算（加減算）した時の合計レベルが示されている。ここで、フリッカが発生したモデルである図８の例を考えると、図９の奇数および偶数フィールドの振り分けを、Ａ＝０．５，Ｂ＝０，Ｃ＝０．５とした場合と同等である。なお、「１」より下は全て「０」になる。
【００３９】
図１０は図９に示す画像表示方法における一点灯例を示す図であり、図９の奇数および偶数フィールドの振り分けに係数Ａ＝０．５，Ｂ＝０，Ｃ＝０．５をあてはめた場合を示している。
【００４０】
前述したように、図８に示す従来技術では、奇数および偶数フィールドで点灯および非点灯を繰り返し、例えば、３０Ｈｚのフリッカが発生するのに対して、図１０に示す本実施例では、奇数フィールドおよび偶数フィールド共に点灯があるため、フリッカは抑制される。
【００４１】
図１１は図１０に示す点灯例を水平方向へ１ピクセル／１フィールドの速度でスクロールさせた時の合成された映像の見え方を示す図であり、図１０の点灯例を図５に示す１ピクセル／１フィールドだけ右方向へスクロールさせた映像の見え方を示すものである。
【００４２】
図１１に示されるように、映像を右方向へ１ピクセル／１フィールドだけスクロールすると、合成された見え方としては、水平方向へ１ピクセル単位、且つ、垂直方向へ２ライン単位の千鳥状の画像として見える。
【００４３】
次に、水平方向も同一でない状態として、奇数および偶数フィールドの振り分けを１サブピクセル単位とし、ディザの振り分けを１ピクセル単位とし、垂直方向は同様に奇数および偶数フィールドの振り分けを２ライン単位とし、そして、ディザの振り分けを１ライン単位とした場合を図１２に示す。
【００４４】
すなわち、図１２は水平方向の奇数および偶数フィールドの振り分けを１サブピクセル単位とし、ディザパターンを１ピクセル単位とし、垂直方向の奇数および偶数フィールドの振り分けを２ライン単位とし、そして、ディザパターンを１ライン単位とした例を示している。ここで、前述したように、サブピクセルは、Ｒ，Ｇ，Ｂの各色の放電セルのそれぞれを示し、また、ピクセルは、これらＲ，Ｇ，Ｂの３つの放電セルで構成されるドットを示している。
【００４５】
このとき、図１１で考えたように、Ａ＝０．５，Ｂ＝０，Ｃ＝０．５として１ピクセル／１フィールドだけ右方向へスクロールさせた映像の見え方を図１３に示す。
【００４６】
すなわち、図１３は図１２に示す振り分け方法に対して、Ａ＝Ｃ＝０．５，Ｂ＝０の場合、右方向へ１ピクセル／１フィールドの速度でスクロールさせた時の合成された映像の見え方を示している。
【００４７】
この図１３に示す合成された映像の見え方は、水平方向へ１サブピクセル単位、垂直方向へ２ライン単位の千鳥状の画像となり、上述した図１１の例に比べて、さらに水平方向においてより細かい映像とすることで、より一層画質の低下を抑制することができる。
【００４８】
次に、この図１３の例において、２ライン／１フィールドに垂直方向へスクロールさせた映像の見え方を図１４に示す。
【００４９】
すなわち、図１４は図１２に示す振り分け方法に対して、Ａ＝Ｃ＝０．５，Ｂ＝０の場合、垂直方向へ２ライン／１フィールドの速度でスクロールさせた時の合成された映像の見え方を示している。
【００５０】
このように、垂直方向へスクロールさせた場合、白のＡ＝０．５，Ｂ＝０，Ｃ＝０．５のときは、２ライン単位でマゼンダのラインと緑のラインが視認でき、緑単色では２ライン単位の横帯が目立って画質を低下させる。
【００５１】
そこで、さらに、水平方向は奇数および偶数フィールドの振り分けを１サブピクセル単位とし、ディザの振り分けを１ピクセル単位のままで、垂直方向を２ライン単位で、ディザの振り分けを垂直方向と１ラインずらした場合を図１５に示す。
【００５２】
すなわち、図１５は水平方向の奇数および偶数フィールドの振り分けを１サブピクセル単位とし、ディザパターンを１ピクセル単位とし、垂直方向の振り分けを２ライン単位とし、さらに、ディザのふりわけを垂直方向と１ラインずらした例を示している。
【００５３】
次に、この図１５のときに、２ライン／１フィールドに垂直方向へスクロールさせた映像の見え方を図１６に示す。
【００５４】
すなわち、図１６は図１５に示す振り分け方法に対して、Ａ＝Ｃ＝０．５，Ｂ＝０の場合、垂直方向へ２ライン／１フィールドの速度でスクロールさせた時の合成された映像の見え方を示している。
【００５５】
このように垂直方向へスクロールさせた場合、白のＡ＝０．５，Ｂ＝０，Ｃ＝０．５のときは、垂直方向が２ライン単位のセル千鳥表示になり、緑単色でも２ライン単位のドット千鳥表示になるため、図１４に比較してより一層細かく違和感のない映像となる。
【００５６】
図１７は本発明に係る画像表示装置の要部を示すブロック図であり、前述した図２のプラズマディスプレイ装置における制御回路３１の要部を示している。図１７において、参照符号３０１は振り分けタイミング発生回路、３０２はディザパターン発生回路、３０３は加算（加減算）回路、そして、３０４は点灯サブフィールド振り分け回路を示している。
【００５７】
振り分けタイミング発生回路３０１は、ドット，ラインおよびフレームの振り分けタイミングを発生するものであり、垂直ブランキング信号（ＶＢＬＡＮＫ），水平ブランキング信号（ＨＢＬＡＮＫ）およびデータクロック信号（ＤＣＬＫ）を受け取って、ディザの振り分けタイミング信号、並びに、奇数および偶数フィールドの振り分けのタイミング信号を両者で同期を取りながら発生する。そして、振り分けタイミング発生回路３０１からのディザの振り分けタイミング信号は、ディザパターン発生回路３０２へ供給され、また、奇数および偶数フィールドの振り分けのタイミング信号は、点灯サブフィールド振り分け回路３０４へ供給される。
【００５８】
ディザパターン発生回路３０２は、振り分けタイミング発生回路３０１からのディザの振り分けタイミング信号に従って、前述した「Ｃ」と「−Ｃ」の振り分けを行ったディザパターンを発生し、そのディザパターンを加算回路３０３へ供給する。加算回路３０３は、ディザパターン発生回路３０２からのディザパターンと外部から供給される映像信号ＤＡＴＡＩＮ（例えば、１４ビット信号）とを加算（加減算）して誤差拡散処理回路３０４に供給される。誤差拡散処理回路３０４の出力は、点灯段階に対応するように点灯サブフィールド振り分け入力をＥＲＯＵＴ（例えば、１０ビット信号）になるように切り捨てが行われて点灯サブフィールド振り分け回路３０５に供給される。
【００５９】
点灯サブフィールド振り分け回路３０５は、加算回路３０３によるディザパターンと映像信号の加算値を受け取り、振り分けタイミング発生回路３０１からの奇数および偶数フィールドの振り分けのタイミング信号に従った出力に対して誤差処理回路３０４を通して点灯段階に対応するようにＥＲＯＵＴ（例えば、１０ビット信号）を、前述した「Ａ」と「Ｂ」の振り分けを行った映像信号ＤＡＴＡＯＵＴ（例えば、１６ビット信号）を出力する。なお、上述したように、ディザパターン発生回路３０２に入力されるディザの振り分けタイミング信号と点灯サブフィールド振り分け回路３０５に入力される奇数および偶数フィールドの振り分けのタイミング信号とは同期している。また、映像信号ＤＡＴＡＯＵＴは、制御回路３１内の他の回路で処理された後、各ドライバを介して表示パネルに所定の映像として表示される。
【００６０】
ここで、図１０、図１３、図１４および図１６に例として示したＡ＝Ｃ＝０．５とは、ＳＦ１が点灯する時を１としているので、図１７の回路構成のようにＥＲＯＵＴを１０ビット信号とし、且つ、ＤＡＴＡＩＮを１４ビット信号とすると、Ａ＝Ｃ＝８となって、誤差処理回路３０４の入力が１６の時にＥＲＯＵＴが１となりＳＦ１が点灯状態になる。
【００６１】
このように、ディザの振り分けと奇数および偶数フィールドの振り分けを同期を取って行うことにより、例えば、両者とも垂直方向の振り分けを２ライン単位で一方を１ラインずらすことが可能になる。
【００６２】
以上、詳述したように、本発明に係る画像表示装置および画像表示方法は、多階調化手法として奇数フィールドおよび偶数フィールドでの選択点灯を異ならせて２フィールドで階調表現を行う場合、副作用として発生するモーションノイズおよびフリッカ等の画質低下に対し、奇数および偶数フィールドでの選択点灯の振り分け方法とディザパターンの振り分け方法について、水平方向および垂直方向の一方もしくは両方を異なる振り分けにすることにより、画質低下を抑えた良好な映像を得ることができる。
【産業上の利用可能性】
【００６３】
本発明は、パーソナルコンピュータやワークステーション等の表示装置、平面型の壁掛けテレビジョン、或いは、広告や情報等を表示するための装置として広く使用されている三電極面放電型のプラズマディスプレイ装置に適用することができ、さらに、多階調化手法として奇数フィールドおよび偶数フィールドでの選択点灯を異ならせて２フィールドで階調表現を行う画像表示装置に対して幅広く適用することが可能である。
【図面の簡単な説明】
【００６４】
【図１】画像表示装置の一例としてのプラズマディスプレイ装置におけるプラズマディスプレイパネルを模式的に示す図である。
【図２】画像表示装置の一例としてのプラズマディスプレイ装置を概略的に示すブロック図である。
【図３】従来の多階調化方法の一例を説明するための図である。
【図４】図３に示す多階調化方法において、奇数フィールドおよび偶数フィールドでの点灯を１ピクセル単位の千鳥状に振り分けた例を示す図である。
【図５】図３に示す多階調化方法において、階調１を点灯させた時の奇数フィールドおよび偶数フィールドで合成された映像の見え方を示す図である。
【図６】図３に示す多階調化方法において、２つの点灯例の映像が入力された時の奇数フィールドおよび偶数フィールドで合成された映像の見え方を示す図である。
【図７】従来の多階調化方法において使用される千鳥状のディザパターンの一例を示す図である。
【図８】図７に示すディザパターンによる問題点を説明するための図である。
【図９】本発明に係る画像表示方法の一例としての、垂直方向の奇数および偶数フィールドの振り分けを２ライン単位とし、且つ、ディザパターンを１ライン単位とした場合を示す図である。
【図１０】図９に示す画像表示方法における一点灯例を示す図である。
【図１１】図１０に示す点灯例を水平方向へ１ピクセル／１フィールドの速度でスクロールさせた時の合成された映像の見え方を示す図である。
【図１２】水平方向の奇数および偶数フィールドの振り分けを１サブピクセル単位とし、ディザパターンを１ピクセル単位とし、垂直方向の奇数および偶数フィールドの振り分けを２ライン単位とし、そして、ディザパターンを１ライン単位とした例を示す図である。
【図１３】図１２に示す振り分け方法に対して、Ａ＝Ｃ＝０．５，Ｂ＝０の場合、水平方向へ１ピクセル／１フィールドの速度でスクロールさせた時の合成された映像の見え方を示す図である。
【図１４】図１２に示す振り分け方法に対して、Ａ＝Ｃ＝０．５，Ｂ＝０の場合、垂直方向へ２ライン／１フィールドの速度でスクロールさせた時の合成された映像の見え方を示す図である。
【図１５】水平方向の奇数および偶数フィールドの振り分けを１サブピクセル単位とし、ディザパターンを１ピクセル単位とし、垂直方向の振り分けを２ライン単位とし、さらに、ディザのふりわけを垂直方向と１ラインずらした例を示す図である。
【図１６】図１５に示す振り分け方法に対して、Ａ＝Ｃ＝０．５，Ｂ＝０の場合、垂直方向へ２ライン／１フィールドの速度でスクロールさせた時の合成された映像の見え方を示す図である。
【図１７】本発明に係る画像表示装置の要部を示すブロック図である。
【符号の説明】
【００６５】
１０    プラズマディスプレイパネル（ＰＤＰ）
１１    前面側の基板（前面基板）
１２    Ｘ電極用の透明電極
１３    Ｘ電極用のバス電極
１４    Ｙ電極用の透明電極
１５    Ｙ電極用のバス電極
１６    背面側の基板（背面基板）
１７    アドレス電極
１８    隔壁（リブ）
１９Ｒ，１９Ｇ，１９Ｂ    蛍光体層
３１    制御回路
３２    Ｘ側ドライバ
３３    Ｙ側ドライバ
３４    アドレス側ドライバ
１００    プラズマディスプレイ装置
３２０    Ｘ側ドライバの共通ドライバ
３３１    Ｙ側ドライバのスキャンドライバ
３３２    Ｙ側ドライバの共通ドライバ
【図１】
2006267929.tif 000003
【図２】
2006267929.tif 000004
【図３】
2006267929.tif 000005
【図４】
2006267929.tif 000006
【図５】
2006267929.tif 000007
【図６】
2006267929.tif 000008
【図７】
2006267929.tif 000009
【図８】
2006267929.tif 000010
【図９】
2006267929.tif 000011
【図１０】
2006267929.tif 000012
【図１１】
2006267929.tif 000013
【図１２】
2006267929.tif 000014
【図１３】
2006267929.tif 000015
【図１４】
2006267929.tif 000016
【図１５】
2006267929.tif 000017
【図１６】
2006267929.tif 000018
【図１７】
2006267929.tif 000019